(57)【特許請求の範囲】
【請求項１】
試料採取ピペットであって、
本体（２）と、
本体（２）内に配置され、本体（２）の下端部に固定されたコーンであって、本体（２）の下端部が該コーンを摩擦によって受け入れ、該コーンが液体を通過させるように構成されているコーンを突き出すよう本体に対してピペットの長手方向（１０）と平行に動くことができるアーム（２０）と、
アームの運動を制御するボタン（１４）と、を有するピペットにおいて、
ボタン（１４）は、ピペットの長手方向（１０）と平行な軸線（２８）であって、該軸線（２８）と垂直な水平面内で該軸線（２８）の回りに本体（２）に対して自由に回転でき、
ボタン（１４）はさらに、下方に作動されてピペットの長手方向（１０）と垂直な軸線（３６）の回りに回動されるように取り付けられており、
ボタン（１４）は、アーム（２０）の上方にかつアーム（２０）に隣接して位置決めされ、ボタン（１４）が押し下げられるときに、アーム（２０）を本体（２）に対して下方に作動させるように構成されていることを特徴とするピペット。
【請求項２】
ピペットは、本体（２）に対し、長手方向（１０）に平行な軸線（２８）の回りに自由に回転できるよう取り付けられた中間部分（１２）を有し、ボタン（１４）は、中間部分（１２）に対し、長手方向（１０）に垂直な軸線（３６）の回りに自由に回転できるよう取り付けられていることを特徴とする請求項１記載のピペット。
【請求項３】
ボタン（１４）は、中間部分（１２）に直接連結されていることを特徴とする請求項２記載のピペット。
【請求項４】
中間部分（１２）は、アーム（２０）に対し、長手方向（１０）に平行な軸線（２８）の回りに自由に回転できるよう取り付けられていることを特徴とする請求項２又は３記載のピペット。
【請求項５】
中間部分（１２）は、本体（２）に直接連結されていることを特徴とする請求項２〜４のうち何れか一に記載のピペット。
【請求項６】
ピペットは、本体（２）に対し、長手方向（１０）に平行な軸線（２８）の回りに動くことができる連結部分（１６）を有し、ボタンは、連結部分に対し、連結部分に設けられた開口部（３９）を通って動くことができることを特徴とする請求項１〜５のうち何れか一に記載のピペット。
【請求項７】
連結部分（１６）は、アーム（２０）に対し、長手方向（１０）に平行な軸線（２８）の回りに自由に回転できることを特徴とする請求項６記載のピペット。
【請求項８】
連結部分（１６）は、中間部分（１２）に対し、長手方向（１０）に平行な軸線（２８）の回りに自由に回転できることを特徴とする請求項６又は７に記載のピペット。
【請求項９】
連結部分（１６）は、中間部分（１２）に直接連結されていることを特徴とする請求項８記載のピペット。
【請求項１０】
連結部分（１６）は、アーム（２０）に直接連結されていることを特徴とする請求項６〜９のうち何れか一に記載のピペット。
【請求項１１】
ピペットは、手持ちピペットであることを特徴とする請求項１〜１０のうち何れか一に記載のピペット。
【請求項１２】
ピペットは、単一のチャネルを有していることを特徴とする請求項１〜１１のうち何れか一に記載のピペット。
【請求項１３】
ピペットは、長手方向に沿って形状が細長いことを特徴とする請求項１〜１２のうち何れか一に記載のピペット。
【発明の詳細な説明】
【０００１】  本発明は、液体の試料を採取するピペットに関する。
【０００２】  欧州特許第０５６６９３９号明細書は、本体及び突出しアームを有するピペットを開示しており、突出しアームは、コーンをピペットから分離するよう本体に沿って摺動自在に動くことができ、コーンは、摩擦によりピペットの底端部に保持されている。ピペットは、突出し操作ボタンを有し、このボタンに圧力を及ぼすことによりアームを下降させることができる。
【０００３】  ボタンは、アームにヒンジ留めされ、また、ボタンを下に押すことによりその傾斜角が変わり、アームが梃子の作用により下降すると共にユーザが突出し装置の戻しばねに抗して供給する必要のある力を減少させるような仕方でピペットの本体に連結されている。それにもかかわらず、その突出し機構の部品は、製造及び組立てが比較的困難である。
【０００４】
本発明の一目的は、突出し装置の製造及び組立てが容易な異なる形式のピペットを提供することにある。
この目的を達成するため、本発明は、試料採取ピペットであって、
本体と、
本体内に配置され、本体の下端部に固定されたコーンであって、本体（２）の下端部が該コーンを摩擦によって受け入れ、該コーンが液体を通過させるように構成されているコーンを突き出すよう本体に対してピペットの長手方向と平行に動くことができるアームと、
アームの運動を制御するボタンと、を有するピペットにおいて、
ボタンは、前記ピペットの長手方向と垂直な軸線の回りに自由に回転できるよう取り付けられており、
ボタンは、アームの上方にかつアームに隣接して位置決めされ、ボタンが押し下げられるときに、アームを本体に対して下方に作動させるように構成されていることを特徴とするピペットを提供する。
かくして、ボタンとアームの連結部は、特に簡単である。したがって、これら２つの部品は、この連結部に関する限り、製造及び組立てが容易である。
【０００５】
本発明は、以下の特徴のうちの任意の少なくとも１つを有することができる。
ピペットは、本体に対し、長手方向に平行な軸線の回りに自由に回転できるよう取り付けられた中間部分を有し、ボタンは、中間部分に対し、長手方向に垂直な軸線の回りに自由に回転できるよう取り付けられている。
ボタンは、中間部分に直接連結されている。
中間部分は、アームに対し、長手方向に平行な軸線の回りに自由に回転できるよう取り付けられている。
中間部分は、本体に直接連結されている。
ピペットは、本体に対し、長手方向に平行な軸線の回りに動くことができる連結部分を有し、ボタンは、連結部分に対し、連結部分に設けられた開口部を通って動くことができる。
【０００６】  連結部分は、アームに対し、長手方向に平行な軸線の回りに自由に回転できる。
連結部分は、中間部分に対し、長手方向に平行な軸線の回りに自由に回転できる。
連結部分は、中間部分に直接連結されている。
連結部分は、アームに直接連結されている。
【０００７】  ボタンは、本体に対し、長手方向に垂直な平面内で動くことができ、ボタンは、上記平面内における連続した位置範囲中にある任意の位置を占めることができ、アームを上記任意の位置に動かすことができる。
ボタンは、本体に対し、上記平面内で自由に回転できるよう取り付けられている。
ボタンは、上記平面内でのボタンの運動中、摺動スラストをアームに加えるよう構成されている。
【０００８】  ピペットは、本体に対するボタンの少なくとも１つの所定の位置を上記位置範囲から突き止める手段を有している。
ピペットは、手持ちピペットである。
ピペットは、単一のチャネルを有している。
ピペットは、長手方向に沿って形状が細長い。
【０００９】  本発明の他の特徴及び利点は、非限定的な例として記載される好ましい実施形態の以下の説明から明らかになろう。
本発明の実施形態であって、図１に示されているピペットは、単一のチャネルを備えた試料採取ピペットであり、その多くの特徴は、それ自体知られているのでここでは詳細には説明しない。具体的には、ピペットは、軸線１０に沿って延びていて、試料採取操作ボタン６が取り付けられたロッド４を有し、試料採取操作ボタン６は、ピペットの下部キャビティの内部での軸線１０に沿うピストンの摺動運動を制御して液体試料をこのキャビティ内へ吸い上げ、又は液体試料をこのキャビティから押し出すようになっている。
【００１０】  ピペットの底部先端は、摩擦により使い捨て又は破棄可能なコーンを受け入れるのに適しており、採取された液体はこの使い捨てコーンを通過する。ピペットは、試料採取量を調節する手段を有し、これは従来タイプのものであるのがよい。
ピペットは、コーンをピペットから分離するためにコーンを長手方向下方に押すことができる突出し機構を有している。この機構の下側部分はそれ自体知られている。したがって、その上側部分だけを説明する。
【００１１】  具体的に図３を参照すると、この突出し機構は、頂部キャップ１２、突出し操作ボタン１４、ピボットガード１６、ばね１８及びアクチュエータ２０を有している。
頂部キャップ１２は、円筒形側面２２及び円形の平坦な頂面２４を有している。この頂面の中央にはフィンガ２６が取り付けられ、このフィンガ２６は、本体２のオリフィス内に受け入れられると共に座金によって定位置に保持されている。このフィンガにより、キャップ１２は、本体２に対し、軸線１０に平行な垂直軸線２８の回りで回転することができ、また、このフィンガは、キャップを本体に対して摺動しないよう静止状態に保持する。
【００１２】  ボタン１４は、ほぼ平らな作動部分３０と、作動部分に平行に側方に延びる脚部又は枝部３２と、脚部に垂直であって、その各側から突出したシャフト３４とを有している。シャフトは、頂部キャップ１２内に回動自在に受け入れられている。かくして、ボタンは、垂直軸線１０，２８に垂直であって軸線２８と交差する水平軸線３６回りにキャップにヒンジ留めされている。キャップの側壁２２は、キャップが水平位置にあるときにボタンの脚部３２が挿通する切欠き３７を有している。キャップは下方に開いている。
【００１３】  ピボットガード１６は、上方に開口した円筒形の壁３８及び円形の平坦な底壁４０を有し、フィンガ４２がこの底壁から下方に突出している。キャップ１２は、ピボットガード１６内に位置し、これらの側面２２，３８は互いに向かい合っている。壁３８は、その高さ全体にわたって延びると共にキャップの切欠き３７と一致するよう設けられた切欠き３９を有し、脚部３２がこの切欠き３９を通過する。ピボットガード１６は、軸線２８に沿ってキャップ１２に対して摺動できる。
【００１４】  アクチュエータ２０の頂部は、前縁部から中心まで延びる切欠きを備えた平坦な壁４４を有している。この切欠きは、壁４４の中心から延びるフィンガ４２を受け入れている。フィンガの底端部は、軸線２８に沿うアクチュエータ２１に対するピボットガード１６の並進運動を止めるために拡大されている。かくして、ピボットガード１６は、アクチュエータに対し軸線２８の回りに自由に回転することができる。ピボットガード１６は、アクチュエータの壁４４に下向きに当接する。アクチュエータ２０は、壁４４の縁部の後側、左側及び右側から延び、壁４４に対して上方に突出したＵ字形リム４６を有している。リムは、リム内へ延びる切欠き４８、図示のように例えば３つの切欠き又は５つの切欠きを有している。切欠きのうちの１つは、リムの後部の中間に位置している。他の２つは、それぞれ壁４４の左側及び右側に位置している。脚部３２は、リム４６に当接し、切欠き４８のうちの１つに入ることができる。
【００１５】  ばね１８は、図４〜図７に示すようにアクチュエータ２０の内部に収容されている。ばねの底端部は、本体２に当接し、その頂端部は、壁４４の下に当接してアクチュエータを上方に押圧している。アクチュエータ２０は、軸線２８に沿って本体２内で摺動することができる。アクチュエータは、突出されるべきコーンに接触するようになった底部ロッド（図示せず）に剛結されている。
【００１６】  今説明した構造により、２つの一連の動作が可能である。
まず最初に、図１０〜図１２を参照すると、ボタン１４を本体２に対し、軸線２８の回りに、即ち、軸線２８に垂直な水平面内で回転させることができる。このボタンをその後方又は中間位置のいずれの側においても各方向に８０°動かすことができる。これら行程の左端及び右端は、図１１及び図１２に示すように、脚部３２が側方切欠き４８に受け入れられることを意味している。この回転運動の間、ボタン１４、頂部キャップ１２及びピボットガード１６は、軸線２８の回りに一ユニットとして動く。アクチュエータ２０は、動かない。ボタンを１６０°の行程範囲中にある任意の位置に配置するのがよく、或いはボタンを切欠きに嵌め込み、或いはボタンが切欠きの外部に位置してもよい。
【００１７】  さらに、本体２に対する軸線２８回りのボタン１４の任意の位置から始めて、ユーザは、部分３０を操作してボタンを下方に作動させることができる。この動作により、ボタンは水平軸線３６の回りに回転し、それによりピボットガード１６及びアクチュエータ２０は、軸線２８に沿って垂直方向に摺動する。この運動中、脚部３２は、リム４６の単一の箇所に当接し、軸線２８に対して放射状に広がる平面内においてリム４６上を摺動する。頂部キャップ１２は、静止状態のままである。アクチュエータの下降は、コーンを突き出すのに役立つ。その結果、軸線２８回りのボタンの位置とは無関係に、特に、ボタンがピペットの左側、右側又は後側にあってもコーンを突き出すことができる。
【００１８】  実際には、ボタンを動かしながら、今説明した２つの運動を意のままに組み合わせることができる。ユーザは、ボタンの休止状態においてボタンの位置を自由に選択でき、又コーンの突出し動作中、その位置を自由に選択することができる。
この機構は、依然として比較的簡単な構造でボタンについて運動及び位置決めの大きな自由度を与えることが理解できる。製造及び組立ては容易である。
さらに、ボタン１４とアクチュエータ２０との間のスラストの摺動箇所が、作動部分３０とシャフト３４との間に延びているので、ボタンは、コーンを突出させるために加えられる必要のある力の大きさを減少させる梃子として働く。
【００１９】  切欠き４８は、リムに対するボタンの好ましい位置（この場合、後側、左側及び右側）を突き止める手段となる。
突出し中、ボタンとアクチュエータとの間の摺動スラストに関する特性を、ボタンが本体に対し、方向１０に垂直な平面内で自由に動くことができるという特性とは無関係に実現できる。
【図面の簡単な説明】
【図１】  本発明のピペットの頂部の軸方向縦断面部分図である。
【図２】  図１のピペットの部分右側面図である。
【図３】  図１のピペットの突出し機構の上側部分の分解斜視図である。
【図４】  図１と類似した図であり、突出し装置の高位置を示す図である。
【図５】  図１と類似した図であり、突出し装置の低位置を示す図である。
【図６】  図４のピペットのＶＩ−ＶＩ矢視軸方向縦断面図である。
【図７】  図６と類似した図であり、突出し装置を低位置で示す図である。
【図８】  図１のピペットの平面図である。
【図９】  図４のピペットのＩＸ−ＩＸ矢視横断面図である。
【図１０】  図８と類似したピペットの部分図であり、水平面内における突出しボタンの角度行程を示す図である。
【図１１】  図１０と類似した図であり、ボタンの最も左側の位置を示す図である。
【図１２】  図１０と類似した図であり、ボタンの最も右側の位置を示す図である。
【図１】
0005629419.tif 000002
【図２】
0005629419.tif 000003
【図３】
0005629419.tif 000004
【図４】
0005629419.tif 000005
【図５】
0005629419.tif 000006
【図６】
0005629419.tif 000007
【図７】
0005629419.tif 000008
【図８】
0005629419.tif 000009
【図９】
0005629419.tif 000010
【図１０】
0005629419.tif 000011
【図１１】
0005629419.tif 000012
【図１２】
0005629419.tif 000013